(57)【要約】【課題】段ボールシートを折り曲げて形成する緩衝材において、包装箱に対して梱包物が小さく、緩衝距離を必要以上に確保する必要がある場合に、十分な長さの支持部材が確保でき、作業性も向上する緩衝材を提供することを課題とする。【解決手段】平面形状が方形の背板と、この背板に折り曲げ線を介して隣接して形成される左右の側板と、背板の下方に、折り曲げ線を介して、連接される底板と、底板の、背板の反対側に設けられた折り曲げ線を介して連接される前板と、前板の、底板の反対側に設けられた折り曲げ線を介して連接される上板によって、被梱包物を収納する緩衝材において、左右の側板の、背板と反対側に左右の保持板を折り曲げ線を介して連接するとともに、背板と左右の側板の折り曲げ部において、背板に設けられた切り込みによって形成され、背板の外面より突出する支持片を延設するように構成する。【選択図】  図１
2019131192.tif 000002
【特許請求の範囲】
【請求項１】
平面形状が方形の背板と、この背板に折り曲げ線を介して隣接して形成される左右の側板と、背板の下方に、折り曲げ線を介して、連接される底板と、底板の、背板の反対側折り曲げ線を介して連接される前板と、前板の、底板の反対側に折り曲げ線を介して連接される上板によって、被梱包物を収納する緩衝材において
左右の側板の、背板と反対側には左右の保持板が折り曲げ線を介して連接されるとともに、背板と左右の側板の折り曲げ部において、背板に設けられた切り込みによって形成され、背板の外面より突出する支持片が、左右の側板より延設されることを特徴とする、包装用緩衝材。
【請求項２】
前記上板には、左右の側板を貫通する保持部が延設されるとともに、左右の側板には差し込み穴が設けられ、左右の側板を折り曲げて、保持部を差し込み穴に差し込むと、保持部の根元に設けられた凸部により、左右の側板が、折り曲げられた状態で保持されることを特徴とする、請求項１に記載の包装用緩衝材。
【発明の詳細な説明】
【技術分野】
【０００１】
本発明は、被包装物を梱包する際に用いられる緩衝材に関するものである。
【背景技術】
【０００２】
従来より、電気製品やカメラ等の各種機器を梱包する際には、危機が包装箱内部で動かないよう、また、落下等による外部からの衝撃から保護することを目的として、緩衝材に収納したのちに包装箱に収納することで、輸送時や保管時等における危機の保護を行うことが多い。
【０００３】
緩衝材として発泡スチロールなど、発泡プラスチックを成形したものも多くあるが、
近年は、段ボールシートを折り曲げて緩衝材とすることも多い。
【先行技術文献】
【特許文献】
【０００４】
【特許文献１】特開２００４−１０６８９７号公報
【特許文献２】特開２００２−２２５８５１号公報
【発明の概要】
【発明が解決しようとする課題】
【０００５】
複数の被梱包物を同一の包装箱に収納する場合、その組み合わせによっては、被梱包物の大きき差に対して、包装箱のサイズが非常に大きくなる場合がある。その場合、段ボールシートを用いた緩衝材では、緩衝距離が必要以上に大きくなる。
【０００６】
しかしながら、特許文献1に示すような段ボールシートを用いた緩衝材では、緩衝距離を確保するための脚部を、隣接する側板の一部を切り欠いて延設することで構成しているため、包装箱に対して梱包物が小さく、脚部を長くする場合は、隣接する側板にあけられる穴が大きくなり、側板の強度が落ちたり、展開寸法では十分な脚部の長さが取れない場合がある。
【０００７】
また、特許文献２に示すように、脚部を側板から延設し、隣接する側板の設けた穴に通す場合、穴にきちんと通るように側板の曲げをきちんと行わなければならず、組み立て作業に時間を要する場合がある。
【０００８】
そこで、本発明の目的は、包装箱に対して梱包物が小さく大きな支持部材が必要となる場合でも支持部材が確保でき、作業性も向上する緩衝材を提供することにある。
【課題を解決するための手段】
【０００９】
上記目的を達成するために、本発明は、平面形状が方形の背板と、この背板に折り曲げ線を介して隣接して形成される左右の側板と、背板の下方に、折り曲げ線を介して、連接される底板と、底板の、背板の反対側に設けられた折り曲げ線を介して連接される前板と、前板の、底板の反対側に設けられた折り曲げ線を介して連接される上板によって、被梱包物を収納する緩衝材において
左右の側板の、背板と反対側には左右の保持板が折り曲げ線を介して連接されるとともに、背板と左右の側板の折り曲げ部において、背板に設けられた切り込みによって形成され、背板の外面より突出する支持片を持つことを特徴とする。
【発明の効果】
【００１０】
本発明の緩衝材によれば、包装箱に対して梱包物が小さく大きな支持部材が必要となる場合でも、1枚のシートから緩衝材を構成することが可能であるとともに梱包の作業性も向上する緩衝材を提供することが可能となる。
【図面の簡単な説明】
【００１１】
【図１】本発明による緩衝材の展開図
【図２】本発明による緩衝材を用いた梱包の工程を示す斜視図
【図３】本発明による緩衝材を用いた梱包の工程を示す斜視図
【図４】本発明による緩衝材を用いた梱包の工程を示す斜視図
【図５】本発明による緩衝材を用いた梱包の工程を示す斜視図
【発明を実施するための形態】
【００１２】
以下に、本発明の好ましい実施の形態を、添付の図面に基づいて詳細に説明する。
【００１３】
［実施例１］
以下、本発明の実施例による、包装箱について説明する。図１は段ボールなどの厚紙を材料に用いて作られ、デジタルカメラなどの略直方体形状をした、小型の被包装物を収納する緩衝材１００の展開形状を示した図である。図において、１は平面形状が長方形状の背板であり、この背板１の左右に折り曲げ線２ａ、および、３ａを介して側板２、３が連設されている。また、前記背板１の下側には底板４が、折り曲げ線４ａを介して連設されている。
【００１４】
前記底板４の先には、前板５が、さらにその先には上板６が、それぞれ、折り曲げ線５ａ、６ａを介して連設されるとともに、前記底板４の左右には差し込み片４１、４２が、前記上板６の左右には差し込み片６１、６２が延設されている。また、差し込み片６１、６２の根元には切り欠き６３、６４が形成されている。
【００１５】
一方、前記左右の側板２、３には背板１の反対側に折り曲げ線７ａ、および、８ａを介して支え板７および８が連設されている。また、側板２、３の折り曲げ線２ａ、および、３ａ側には支持片２１，２２、および３１、３２が延設され、折り曲げ線に沿って側板２、３を谷折りすると、背板１の背面側に支持片が延出する。さらには、前記左右の側板２、３には折り曲げ線２ａ、および、３ａに直行する方向にスリット２３，２４および３３，３４が設けられている。スリット２３，２４および３３，３４の間隔は、被梱包物２００の大きさに合わせられている。
【００１６】
次に図２〜図５を用いて本緩衝材を用いた梱包の行程について説明する。まずは、図２に示すように、トムソン等を用いて打ち抜いた緩衝材１００の背板１の下側、前記スリット２３，２４および３３，３４の間に被梱包物２００を配置する。この状態から、折り曲げ線、４ａ、５ａ，６ａに沿って、底板４、前板５、上板６を谷折りに曲げると、図３に示すように、底板４、前板５、上板６が被梱包物２００を取り囲むように配される。この時、上板６の先端部６ｂが背板１に接すると、前板５は背板１と、底板４は上板６と略並行になるように底板４、前板５、上板６の長さが設定されている。
【００１７】
そして、底板４、および、上板６で被梱包物２００を挟むように保持すると、スリット２３，２４および３３，３４の間隔が、被梱包物２００の大きさに合わせられているため、底板４の左右の差し込み片４１、４２がスリット２４、３４とほぼ同じ高さに、上板６の左右の差し込み片６１、６２がスリット２３、２４とほぼ同じ高さに位置するようになる。
【００１８】
次に、側板２、３を折り曲げ線２ａ、および、３ａに沿って折り曲げる。その際に、側板２、３の端面２５、３５に底板４を当てながら曲げると、側板２、３に設けられた斜面２８，３８にガイドされて、前記底板４の左右に延設された差し込み片４１、４２がスリット２４、３４に入り込む。この時、側板２、３の端面２５、３５と、スリット２４、３４の端面２７、３７との間隔は、緩衝材１００の板厚とほぼ同じに設定されているため、底板４の上下動が抑えられる。
【００１９】
また、同時に前記上板６の左右に延設された差し込み片６１、６２が、側板２、３に設けられたスリット２３、３３に入り込む。この場合は側板２、３を前板５の側面５２，５３に当接するまで折り曲げると、スリット２３、３３の先端部２９、３９が、前記上板６の左右に延設された差し込み片６１、６２の根元に形成された切り欠き６３、６４にはまり込み、図４に示すように側板２、３が折り曲がった状態で保持される。
【００２０】
この状態から前記支え板７および８を、左右の側板２、３から、折り曲げ線７ａ、および、８ａで山折りし、図５に示すように包装箱３００に緩衝材１００を差し入れて、ふたをする。この際、緩衝材１００の左右の側板２、３は前記上板６の形成された切り欠き６３、６４によって、折り曲げ状態で保持されているので、底板４、前板５、上板６によって被同梱物１００も保持され、包装箱３００に緩衝材１００を簡単に入れることができる。
【符号の説明】
【００２１】
１：背板    
２：左側板
３：右側板
４：底板
５：前板
６：上板
７、８：支え板
２１、２２、３１，３２：支持片
２３、２４、３３、３４：スリット    
４１、４２、６１、６２：差し込み片
６３、６４：切り欠き
２ａ，３ａ，４ａ、５ａ，６ａ、７ａ、８ａ：折り曲げ線
【図１】
2019131192.tif 000003
【図２】
2019131192.tif 000004
【図３】
2019131192.tif 000005
【図４】
2019131192.tif 000006
【図５】
2019131192.tif 000007